(57)【要約】【課題】扉中空部内で露出している駆動ロッドをカバーで覆い、簡単には手動回動できないようにした、きわめて安全性の高い防犯錠を提供することを目的とする。【解決手段】中空の扉１の内側に固定される錠ケース１１と、錠ケース１１の開口部１１ａを覆う蓋板３１と、扉１の外側に固定されるシリンダー錠４１とを備え、錠ケース１１は、扉１内側からツマミ１６を手動により、扉外側からシリンダー錠４１のキー操作によって各作動するデッドボルト２３を有し、蓋板３１は、デッドボルト２３と同期的に連動して回動可能な係合部材３２を外側に有し、シリンダー錠４１は、先端が蓋板３１の係合部材３２と係合し、扉外側からシリンダー錠４１の鍵孔へ差し込んだキー操作によって回動する駆動ロッド４８を扉中空部４内に有し、この駆動ロッド４８を覆う防犯カバー５１を扉中空部４内に配設して構成する。【選択図】          図４
2004285623.tif 000002
【特許請求の範囲】
【請求項１】
中空の扉の内側に固定される錠ケースと、錠ケースの開口部を覆う蓋板と、扉の外側に固定されるシリンダー錠とを備え、
錠ケースは、扉内側からツマミを手動により、扉外側からシリンダー錠のキー操作によって各作動するデッドボルトを有し、
蓋板は、デッドボルトと同期的に連動して回動可能な係合部材を外側に有し、
シリンダー錠は、先端が蓋板の係合部材と係合し、扉外側からシリンダー錠の鍵孔へ差し込んだキー操作によって回動する駆動ロッドを扉中空部内に有し、この駆動ロッドを覆う防犯カバーを扉中空部内に配設したことを特徴とする防犯錠。
【発明の詳細な説明】
【０００１】
【発明の属する技術分野】
本発明は、扉の補助錠として有効な防犯錠に関する。
【０００２】
【従来の技術】
従来の一般的なシリンダー錠としては、図１０および図１１に示されているように次のような構造のものが使われている。
中空の扉ａの内側に固定される錠ケースｂと、錠ケースｂの開口部ｃを覆う蓋板ｄと、扉ａの外側に固定されるシリンダー錠ｅとを備え、錠ケースｂは、扉ａ内側からツマミｆを手動により、扉ａ外側からシリンダー錠ｅのキーｇ操作によって各作動するデッドボルトｈを有し、蓋板ｄは、デッドボルトｈと同期的に連動して回動可能な係合部材ｉを外側に有し、シリンダー錠ｅは、先端が蓋板ｄの係合部材ｉと係合し、扉ａ外側からシリンダー錠ｅの鍵孔へ差し込んだキーｇ操作によって回動する駆動ロッドｊを扉ａ中空部ａ’内に有する。
同図において、ｋは、扉ａとシリンダー錠ｅの支持板を示す。
【０００３】
【発明が解決しようとする課題】
しかしながら、前記した従来のシリンダー錠では、扉外面に固定されたシリンダー錠先端の駆動ロッドが扉中空部内に露出状態で位置しているため防犯対策の面で不充分であった。
【０００４】
すなわち、屋外からドリル等で扉の前面板に穴をあけ、この穴に特殊な工具等を差し込んで扉中空部内に位置する駆動ロッドを手動回動することで簡単に開錠できてしまう問題があった。
【０００５】
本発明は、以上の問題点に鑑み、扉中空部内で露出している駆動ロッドをカバーで覆い、簡単には手動回動できないようにした、きわめて安全性の高い防犯錠を提供することを目的とする。
【０００６】
【課題を解決するための手段】
上記目的を達成するために、本発明に係る防犯錠は、中空の扉の内側に固定される錠ケースと、錠ケースの開口部を覆う蓋板と、扉の外側に固定されるシリンダー錠とを備え、
錠ケースは、扉内側からツマミを手動により、扉外側からシリンダー錠のキー操作によって各作動するデッドボルトを有し、
蓋板は、デッドボルトと同期的に連動して回動可能な係合部材を外側に有し、
シリンダー錠は、先端が蓋板の係合部材と係合し、扉外側からシリンダー錠の鍵孔へ差し込んだキー操作によって回動する駆動ロッドを扉中空部内に有し、この駆動ロッドを覆う防犯カバーを扉中空部内に配設したことを特徴とする。
【０００７】
【発明の実施の形態】
以下、本発明の実施の形態について図面を参照して詳細に説明する。
図１は、本発明に係る防犯錠の扉組み付け状態の正面図であり、図２は、図１のＡ−Ａ線矢視断面図であり、図３は、図２のＢ−Ｂ線矢視断面図であり、図４は、要部の断面図であり、図５は、錠ケースの内面図であり、図６は、デッドボルト付き錠ケースの内面図であり、図７は、蓋板の内面図であり、図８は、その外面図であり、図９は、防犯カバーの斜視図である。
【０００８】
本防犯錠は、中空の扉１の内側に固定される錠ケース１１と、錠ケース１１の蓋板３１と、扉１の外側に固定されるシリンダー錠４１および防犯カバー５１とを備える。
【０００９】
錠ケース１１は、次のように構成されている。
図５および図６に示したように、背板１２と左右の側板１３と天板１４および底板１５により前面に開口部１１ａを有して箱型に形成され、両側板１３の略中央には、後述するデッドボルト２３が嵌合する切欠き１３ａが対向して凹設されると共に、背板１２の略中央部には、扉１の内側から手動によりデッドボルト２３を作動するツマミ１６の支軸１６ａが回動自在に軸承されている。
【００１０】
また、錠ケース１１内において支軸１６ａには、一端にデッドボルト２３と係合する駆動軸１７が植設され、他端に揺動ロッド１８の基端１８ａが回動可能に軸支される連結軸１９が植設された第１作動板２０が固定されている。
【００１１】
そして、揺動ロッド１８の先端１８ｂは、錠ケース１１の背板１２の略中央上方を内側へ切り起して形成した支持片２１の孔（図示しない）に擢動自在に支持されている。さらに、揺動ロッド１８には、基端１８ａと支持片２１との間に当接保持されつつ復帰バネ（コイルスプリング）２２が外装されている。
【００１２】
デッドボルト２３は、錠ケース１１の横幅より長く、かつ切欠き１３ａに左右方向へ擢動可能に嵌合する横長の長方形板状に形成され、その略中央下端には突出部２４が一体に設けられている。
【００１３】
そして、この突出部２４には、逆山形形状の係合孔２５が形成され、この係合孔２５に第１作動板２０一端の駆動軸１７が係合されている。
【００１４】
蓋板３１は、次のように構成される。
図７および図８に示したように、錠ケース１１の開口部１１ａを覆うよう縦長の長方形状に形成され、その略中央部に、外側に突出する係合部材３２の軸部３３が回動自在に軸支されている。この軸部３３は蓋板３１の内側に突出しており、この部分に、先端に第１作動板２０の駆動軸１７が嵌合する孔３５が穿設された第２作動板３４が固定されている。
【００１５】
係合部材３２は、短い円筒状に形成され、その正面にシリンダー錠４１の駆動ロッド４８の先端が係合する係合溝３２ａが形成されている。
【００１６】
シリンダー錠４１は、次のように構成される。
図１〜図４に示したように、扉１の外面板２に開設した孔５に、正面にキー孔４２が露出するよう外筒４３の縁部を挿入・係止すると共に、外筒４３の外側後端に設けられた取付脚４４先端を扉１の内面板３に開設した孔６に挿入し、ねじ４５を取付脚４４内側のねじ孔（図示しない）に螺合することによってシリンダー錠４１は扉１に組み付けられる。
【００１７】
シリンダー錠４１における外筒４３には、キー孔４２に差し込んだキー４６の操作により回動する内筒４７が内挿されている。そして、この内筒４７の先端には、前記係合部材３２の係合溝３２ａに係合する駆動ロッド４８が、扉１の中空部４内において突設されている。
【００１８】
防犯カバー５１は、次のように構成される。
図２〜図４および図９に示したように、前記蓋板３１と同形、同大の支持板５２の略中央に、蓋板３１の外側に突設した係合部材３２が緩嵌合する通孔５３が開設されると共に、通孔５３の外側に円筒体５４が突設して形成されている。この円筒体５４は、扉１の内面板３の孔６の内部に開設された丸孔７に嵌合して外側へ突出し、シリンダー錠４１の駆動ロッド４８およびその係合部材３２との係合部を覆うものである。したがって、この円筒体５４の長さは、扉１の板厚、すなわち扉１の中空部４の幅に応じて設定される。
なお、図中５２ａは支持板５２に設けた取付孔を示す。
【００１９】
次に、扉１に対する本防犯錠の組み付け方法について説明する。
先ず、既述の如くねじ４５を外した状態でシリンダー錠４１および取付脚４４を扉１の各孔に嵌め込む。次いで、防犯カバー５１の円筒体５４を扉１の後方から嵌合し、支持板５２の外側から取付脚４４にねじ４５を螺合することでシリンダー錠４１および防犯カバー５１は扉１に組み付けられる。
【００２０】
次いで、蓋板３１の係合部材３２を防犯カバー５１の通孔５３に後方から緩嵌合し、係合部材３２の係合溝３２ａに、シリンダー錠５１の駆動ロッド４８先端を係合する。
【００２１】
次いで、蓋板３１の後方から錠ケース１１の開口部１１ａを嵌合するが、このとき蓋板３１外側に軸支された第２作動板３４先端の孔３５を、デッドボルト２３の突出部２４の係合孔２５を挿通して上方に突出する第１作動板２０の駆動軸１７に係合させるものである。
【００２２】
なお、以上の実施例は、蓋板３１と防犯カバー５１の二部品からなるが、蓋板３１と防犯カバー５１を一体化することで一部品として形成することもできる。
【００２３】
使用に際しては、扉１正面に位置するシリンダー錠４１の鍵孔４２にキー４６を差し込んで回動操作すると、外筒４３内で、内筒４７と共にその先端に突出する駆動ロッド４８が回動するため、この駆動ロッド４８と係合する係合部材３２および第２作動板３４が同方向へ回動する。
【００２４】
ここにおいて、第２作動板３４先端の孔３５が、デッドボルト２３の突出部２４の係合孔２５に下から係合する第１作動板２０の駆動軸１７上端へ係合しているため、第２作動板３４の回動に伴ってデッドボルト２３が錠ケース１１の切欠き１３ａに沿って左右方向へ移動する。つまり、このデッドボルト２３が図１および図６に示したように、扉１の側方より突出したとき施錠となり、扉１の側方より内方へ引込んだとき開錠となる。
【００２５】
しかして、デッドボルト２３の施錠時には、第１作動板２０上端は、揺動ロッド１８に外装された復帰バネ２１に押圧される一方、下端は錠ケース１１の側板１３内側に当接されて、揺動ロッド１８と第１作動板２０は図５および図６に示したように略逆くの字状に屈折保持される。
【００２６】
デッドボルト２３の開錠時には、揺動ロッド１８と第１作動板２０は、図５および図６に示した形態とは逆の略くの字状に屈折保持される。
【００２７】
この時の作動について説明すると、キー４６操作により第１作動板２０を支軸１６ａを支点に図５および図６に示す状態から反時計廻り方向へ回動すると、揺動ロッド１８は復帰バネ２２のバネ力に抗して支持片２１の孔内を上動すると同時に、時計廻り方向へ揺動し、これにより揺動ロッド１８と第１作動板２０は、既述の如く略くの字状に屈折保持されるものである。
【００２８】
【発明の効果】
以上詳述したように、本発明は、扉に組み付けたシリンダー錠の駆動ロッドが扉中空部内に有するものにおいて、この駆動ロッドを覆う防犯カバーを配設したものであるから、屋外からドリル等で扉の前面板に穴をあけ、この穴に特殊な工具等を差し込んでみても、防犯カバーに妨げられるため、駆動ロッドに直接触れ、これを手動回動することは不可能である。よって、本発明は、不心得者の不正開錠を阻止するのに極めて効果的なものである。
【図面の簡単な説明】
【図１】本発明に係る防犯錠の扉組み付け状態の正面図である。
【図２】図１のＡ−Ａ線矢視断面図である。
【図３】図２のＢ−Ｂ線矢視断面図である。
【図４】要部の断面図である。
【図５】錠ケースの内面図である。
【図６】デッドボルト付き錠ケースの内面図である。
【図７】蓋板の内面図である。
【図８】蓋板の外面図である。
【図９】防犯カバーの斜視図である。
【図１０】従来のシリンダー錠と扉の組み付け状態を示す一部断面の平面図である。
【図１１】図１０のＸ−Ｘ線矢視断面図である。
【符号の説明】
１      扉
４      中空部
１１    鍵ケース
１１ａ  開口部
１６    ツマミ
２３    デッドボルト
３１    蓋板
３２    係合部材
４１    シリンダー錠
４２    キー孔
４６    キー
４８    駆動ロッド
５１    防犯カバー
【図１】
2004285623.tif 000003
【図２】
2004285623.tif 000004
【図３】
2004285623.tif 000005
【図４】
2004285623.tif 000006
【図５】
2004285623.tif 000007
【図６】
2004285623.tif 000008
【図７】
2004285623.tif 000009
【図８】
2004285623.tif 000010
【図９】
2004285623.tif 000011
【図１０】
2004285623.tif 000012
【図１１】
2004285623.tif 000013